(57)【要約】      （修正有）【課題】複数室が設けられる建物の照明設計を行う場合に、簡単な入力のみで複数室の照度や輝度を容易に且つ短時間で算出することができ、入力情報及び出力情報の閲覧や整理を容易に行うことができ、更には、天井面及び壁面の輝度についての新基準にも対応した照度算出装置を提供する。【解決手段】照度算出装置の制御部２は、建物の室に対応する複数の室情報、並びに室に設けられる照明器具の照明器具効率のうちの上方光束分、下方光束分、室の天井面の固有直射照明率及び作業面の固有直射照明率を、入力情報として取得する情報取得部２１と、室の天井面の天井面固有照明率、壁面の壁面固有照明率及び作業面の作業面固有照明率を算出する固有照明率算出部２２ａと、室の天井面の天井面照明率、壁面の壁面照明率及び作業面の作業面照明率を算出する照明率算出部２２ｂと、室の天井面の照度、壁面の照度及び作業面の照度を算出する照度算出部２２ｃとを備える。【選択図】図２
2019215664.tif 000002
【特許請求の範囲】
【請求項１】
建物に設けられる少なくとも１つの室の照度を表計算ソフトウエアで算出する照度算出装置であって、
ユーザの指示入力に基づいて、前記室に対応する複数の室情報、並びに前記室に設けられる照明器具の照明器具効率ηのうちの上方光束分ηｕ、下方光束分ηｄ、前記室の天井面の固有直射照明率ｕ１０及び作業面の固有直射照明率ｕ４０を、入力情報として取得する情報取得部と、
前記上方光束分ηｕ、前記下方光束分ηｄ、前記固有直射照明率ｕ１０及び前記固有直射照明率ｕ４０に基づいて、前記室の前記天井面の天井面固有照明率ｕ１、壁面の壁面固有照明率ｕ３及び前記作業面の作業面固有照明率ｕ４を算出する固有照明率算出部と、
前記天井面固有照明率ｕ１、前記壁面固有照明率ｕ３及び前記作業面固有照明率ｕ４に基づいて、前記室の前記天井面の天井面照明率Ｕ１、前記壁面の壁面照明率Ｕ３及び前記作業面の作業面照明率Ｕ４を算出する照明率算出部と、
前記天井面照明率Ｕ１、前記壁面照明率Ｕ３及び前記作業面照明率Ｕ４に基づいて、前記室の前記天井面の照度Ｅ１、前記壁面の照度Ｅ３及び前記作業面の照度Ｅ４を算出する照度算出部と、を備えることを特徴とする照度算出装置。
【請求項２】
前記照度Ｅ１、前記照度Ｅ３及び前記照度Ｅ４に基づいて、前記室の前記天井面の輝度Ｌ１、前記壁面の輝度Ｌ３及び前記作業面の輝度Ｌ４を算出する輝度算出部を更に備える、請求項１記載の照度算出装置。
【請求項３】
前記室に対応する室情報と、前記室に設けられる照明器具の前記照明器具効率η、前記上方光束分ηｕ、前記下方光束分ηｄ及び前記作業面の前記固有直射照明率ｕ４０と、前記室の前記照度Ｅ１、前記照度Ｅ３及び前記照度Ｅ４とを紐付けて室情報群とし、且つ複数の前記室に対応する複数の前記室情報群が室毎に分類された照度算出表を作成する照度算出表作成部と、
前記照度算出表を出力情報として表示するための表示処理を実行する表示処理部と、
を更に備える、請求項２記載の照度算出装置。
【請求項４】
前記固有照明率算出部は、下記(1)式を用いて、前記室の天井面固有照明率ｕ１、前記壁面固有照明率ｕ３及び作業面固有照明率ｕ４を算出する、請求項１記載の照度算出装置。
2019215664.tif 000017
【請求項５】
前記照明率算出部は、下記(2)式を用いて、前記天井面照明率Ｕ１、前記壁面照明率Ｕ３及び前記作業面照明率Ｕ４を算出する、請求項４記載の照度算出装置。
2019215664.tif 000018
【請求項６】
前記照度算出部は、下記(3)を用いて、前記照度Ｅ１、前記照度Ｅ３及び前記照度Ｅ４を算出する、請求項５記載の照度算出装置。
2019215664.tif 000019
【請求項７】
コンピュータによって実行され、建物に設けられる少なくとも１つの室の照度を表計算ソフトウエアで算出する照度算出方法であって、
ユーザの指示入力に基づいて、前記室に対応する複数の室情報、並びに前記室の各室に設けられる照明器具の照明器具効率ηのうちの上方光束分ηｕ、下方光束分ηｄ、前記室の天井面の固有直射照明率ｕ１０及び作業面の固有直射照明率ｕ４０を、入力情報として取得する情報取得ステップと、
前記上方光束分ηｕ、前記下方光束分ηｄ、前記固有直射照明率ｕ１０及び前記固有直射照明率ｕ４０に基づいて、前記室の前記天井面の天井面固有照明率ｕ１、壁面の壁面固有照明率ｕ３及び前記作業面の作業面固有照明率ｕ４を算出する固有照明率算出ステップと、
前記天井面固有照明率ｕ１、前記壁面固有照明率ｕ３及び前記作業面固有照明率ｕ４に基づいて、前記室の前記天井面の天井面照明率Ｕ１、前記壁面の壁面照明率Ｕ３及び前記作業面の作業面照明率Ｕ４を算出する照明率算出ステップと、
前記天井面照明率Ｕ１、前記壁面照明率Ｕ３及び前記作業面照明率Ｕ４に基づいて、前記室の前記天井面の照度Ｅ１、前記壁面の照度Ｅ３及び前記作業面の照度Ｅ４を算出する照度算出ステップと、
を有することを特徴とする照度算出方法。
【請求項８】
建物に設けられる少なくとも１つの室の照度を表計算ソフトウエアで算出する照度算出方法をコンピュータに実行させるプログラムであって、
前記照度算出方法が、
ユーザの指示入力に基づいて、前記室の各室に対応する複数の室情報、並びに前記室に設けられる照明器具の照明器具効率ηのうちの上方光束分ηｕ、下方光束分ηｄ、前記室の天井面の固有直射照明率ｕ１０及び作業面の固有直射照明率ｕ４０を、入力情報として取得する情報取得ステップと、
前記上方光束分ηｕ、前記下方光束分ηｄ、前記固有直射照明率ｕ１０及び前記固有直射照明率ｕ４０に基づいて、前記室の前記天井面の天井面固有照明率ｕ１、壁面の壁面固有照明率ｕ３及び前記作業面の作業面固有照明率ｕ４を算出する固有照明率算出ステップと、
前記天井面固有照明率ｕ１、前記壁面固有照明率ｕ３及び前記作業面固有照明率ｕ４に基づいて、前記室の前記天井面の天井面照明率Ｕ１、前記壁面の壁面照明率Ｕ３及び前記作業面の作業面照明率Ｕ４を算出する照明率算出ステップと、
前記天井面照明率Ｕ１、前記壁面照明率Ｕ３及び前記作業面照明率Ｕ４に基づいて、前記室の前記天井面の照度Ｅ１、前記壁面の照度Ｅ３及び前記作業面の照度Ｅ４を算出する照度算出ステップと、
を有することを特徴とする、コンピュータに読み取り可能な記憶媒体に記憶されたプログラム。
【請求項９】
請求項８記載のプログラムを記憶したコンピュータ読み取り可能な記憶媒体。
【発明の詳細な説明】
【技術分野】
【０００１】
本発明は、照度算出装置、照度算出方法、該方法を実行するためのプログラム及び記憶媒体に関し、特に、オフィスビルなどの建物に設けられる室内の照度を算出する照度算出装置に関する。
【背景技術】
【０００２】
従来、建物の室における面の輝度、特に床面以外の天井面や壁面の輝度を求める場合、「Radiance」と呼ばれる光環境シミュレーションプログラムや、「DIA-Lux」と呼ばれる照明シミュレーションソフトウエア等が用いられている。「Radiance」では、視点位置から光線を逆方向に追跡していく光線追跡法（Backwards Raytracing）を用いて光環境シミュレーションモデルを作成することができ、また、光の鏡面反射や屈折を含めた物理的な測光量を算出することが可能となっている。また、「DIA-Lux」では、照明メーカなどから提供される照明器具の配向データを取り込むことで、当該照明器具が配置される室における面の輝度を算出することが可能となっている。
【０００３】
しかし、上記従来の方法では、輝度を算出するために上記のような特殊なシミュレーションソフトウエアを用いなければならず、当該シミュレーションソフトウエアの使用経験が少ないか或いは無い設備設計者にとっては、先ずシミュレーションソフトウエアの使い方を習得する必要があり、輝度算出結果を得るまでに時間や労力が掛かる。特に「DIA-Lux」では、先ず照明器具の配向データを入手して取り込む必要があるため、室内空間に設けられる照明器具が数多くある場合、全ての照明器具の配向データを入手して取り込まなければならず、照明シミュレーションを行うまでに時間や労力が掛かってしまう。
【０００４】
算出処理の負荷を軽減するための構成としては、例えば、コンピュータを用いて構築された仮想の三次元空間を記憶する空間記憶手段と、当該三次元空間に存在する面を小領域である多数個の面要素に分割する面分割手段と、面分割手段により分割された面要素をそれぞれ光源面として面要素ごとに光の放射エネルギーを算出する光エネルギー分布算出手段と、三次元空間を観測する仮想の光観測面を規定する光観測面規定手段と、光エネルギー分布算出手段により算出した面要素ごとの光の放射エネルギーを面要素ごとに関係付けて記憶する光エネルギー分布記憶手段と、光エネルギー分布記憶手段に記憶された面要素ごとの光の放射エネルギーを用い上記三次元空間における面要素を光観測面から見込んだときの光観測面に入射する光のエネルギーを求める視知覚模擬手段と、を備える光分布シミュレータが提案されている（特許文献１）。
【０００５】
この光分布シミュレータによれば、光エネルギー分布記憶手段に記憶された面要素ごとの光の放射エネルギーを用いて面要素を光観測面から見込んだときの光観測面に入射する光のエネルギーを求めるので、異なる光観測面に入射する光のエネルギーを求める際に、面要素ごとの光の放射エネルギーをあらためて算出する必要がなく、少ない処理負荷で様々な光観測面について入射する光のエネルギーを評価することが可能になるとされている。
【先行技術文献】
【特許文献】
【０００６】
【特許文献１】特開２０１０−０９７４２３号公報
【発明の概要】
【発明が解決しようとする課題】
【０００７】
近年、白熱灯や蛍光灯に加えてＬＥＤなどの新たな光源が普及してきたことに伴い、オフィスビルや商業施設などの建物において、複数室のそれぞれの用途に適した様々な照明環境や照明演出のニーズが増大している。しかしながら、上記特許文献１の技術では、複数室のうちの室毎に必要項目や条件等を入力してシミュレーションを行わなければならず、全ての室についての輝度算出結果を得るまでに依然として時間と労力が掛かり、照明設計が煩雑であるという問題がある。
【０００８】
また、複数室についての入力情報及び出力情報を一括で表示する手段が無いため、輝度算出対象の室数が多い場合、必要項目や条件等の入力のみならず、入力情報及び出力情報の一覧表示や整理にも時間と労力が掛かる。
【０００９】
殊に近年、建築学会環境基準「照明環境規準AIJES-L0002-2016」の制定や、照明学会「オフィス照明設計技術指針」の改訂により、室の床面（作業面）の照度のみならず、天井面及び壁面の照度や輝度についての基準が制定されており、これらの新しい基準に対応した照明計画を容易に行う方法が求められている。
【００１０】
本発明の目的は、特殊なシミュレーションソフトウエアの使い方を習得する必要が無く、複数室が設けられる建物の照明設計を行う場合に、簡単な入力のみで複数室の照度や輝度を容易に且つ短時間で算出することができ、また、入力情報及び出力情報の閲覧や整理を容易に行うことができ、更には、天井面及び壁面の輝度についての新基準にも対応した照度算出装置、照度算出方法、該方法を実行するためのプログラム及び記憶媒体を提供することにある。
【課題を解決するための手段】
【００１１】
上記目的を達成するために、本発明の照度算出装置は、建物に設けられる少なくとも１つの室の照度を表計算ソフトウエアで算出する照度算出装置であって、ユーザの指示入力に基づいて、前記室に対応する複数の室情報、並びに前記室に設けられる照明器具の照明器具効率ηのうちの上方光束分ηｕ、下方光束分ηｄ、前記室の天井面の固有直射照明率ｕ１０及び作業面の固有直射照明率ｕ４０を、入力情報として取得する情報取得部と、前記上方光束分ηｕ、前記下方光束分ηｄ、前記固有直射照明率ｕ１０及び前記固有直射照明率ｕ４０に基づいて、前記室の前記天井面の天井面固有照明率ｕ１、壁面の壁面固有照明率ｕ３及び前記作業面の作業面固有照明率ｕ４を算出する固有照明率算出部と、前記天井面固有照明率ｕ１、前記壁面固有照明率ｕ３及び前記作業面固有照明率ｕ４に基づいて、前記室の前記天井面の天井面照明率Ｕ１、前記壁面の壁面照明率Ｕ３及び前記作業面の作業面照明率Ｕ４を算出する照明率算出部と、前記天井面照明率Ｕ１、前記壁面照明率Ｕ３及び前記作業面照明率Ｕ４に基づいて、前記室の前記天井面の照度Ｅ１、前記壁面の照度Ｅ３及び前記作業面の照度Ｅ４を算出する照度算出部とを備えることを特徴とする。
【００１２】
前記照度算出装置は、前記照度Ｅ１、前記照度Ｅ３及び前記照度Ｅ４に基づいて、前記室の前記天井面の輝度Ｌ１、前記壁面の輝度Ｌ３及び前記作業面の輝度Ｌ４を算出する輝度算出部を更に備えるのが好ましい。
【００１３】
また、前記照度算出装置は、前記室に対応する室情報と、前記室に設けられる照明器具の前記照明器具効率η、前記上方光束分ηｕ、前記下方光束分ηｄ及び前記作業面の前記固有直射照明率ｕ４０と、前記室の前記照度Ｅ１、前記照度Ｅ３及び前記照度Ｅ４とを紐付けて室情報群とし、且つ複数の前記室に対応する複数の前記室情報群が室毎に分類された照度算出表を作成する照度算出表作成部と、前記照度算出表を出力情報として表示するための表示処理を実行する表示処理部とを更に備えていてもよい。
【００１４】
前記固有照明率算出部は、下記(1)式を用いて、前記室の天井面固有照明率ｕ１、前記壁面固有照明率ｕ３及び作業面固有照明率ｕ４を算出する。
2019215664.tif 000003
【００１５】
前記照明率算出部は、下記(2)式を用いて、前記天井面照明率Ｕ１、前記壁面照明率Ｕ３及び前記作業面照明率Ｕ４を算出する。
2019215664.tif 000004
【００１６】
前記照度算出部は、下記(3)を用いて、前記照度Ｅ１、前記照度Ｅ３及び前記照度Ｅ４を算出する。
2019215664.tif 000005
【００１７】
上記目的を達成するために、本発明に係る照度算出方法は、コンピュータによって実行され、建物に設けられる少なくとも１つの室の照度を表計算ソフトウエアで算出する照度算出方法であって、ユーザの指示入力に基づいて、前記室に対応する複数の室情報、並びに前記室の各室に設けられる照明器具の照明器具効率ηのうちの上方光束分ηｕ、下方光束分ηｄ、前記室の天井面の固有直射照明率ｕ１０及び作業面の固有直射照明率ｕ４０を、入力情報として取得する情報取得ステップと、前記上方光束分ηｕ、前記下方光束分ηｄ、前記固有直射照明率ｕ１０及び前記固有直射照明率ｕ４０に基づいて、前記室の前記天井面の天井面固有照明率ｕ１、壁面の壁面固有照明率ｕ３及び前記作業面の作業面固有照明率ｕ４を算出する固有照明率算出ステップと、前記天井面固有照明率ｕ１、前記壁面固有照明率ｕ３及び前記作業面固有照明率ｕ４に基づいて、前記室の前記天井面の天井面照明率Ｕ１、前記壁面の壁面照明率Ｕ３及び前記作業面の作業面照明率Ｕ４を算出する照明率算出ステップと、前記天井面照明率Ｕ１、前記壁面照明率Ｕ３及び前記作業面照明率Ｕ４に基づいて、前記室の前記天井面の照度Ｅ１、前記壁面の照度Ｅ３及び前記作業面の照度Ｅ４を算出する照度算出ステップと、を有することを特徴とする。
【００１８】
上記目的を達成するために、本発明に係るプログラムは、建物に設けられる少なくとも１つの室の照度を表計算ソフトウエアで算出する照度算出方法をコンピュータに実行させるプログラムであって、前記照度算出方法が、ユーザの指示入力に基づいて、前記室の各室に対応する複数の室情報、並びに前記室に設けられる照明器具の照明器具効率ηのうちの上方光束分ηｕ、下方光束分ηｄ、前記室の天井面の固有直射照明率ｕ１０及び作業面の固有直射照明率ｕ４０を、入力情報として取得する情報取得ステップと、前記上方光束分ηｕ、前記下方光束分ηｄ、前記固有直射照明率ｕ１０及び前記固有直射照明率ｕ４０に基づいて、前記室の前記天井面の天井面固有照明率ｕ１、壁面の壁面固有照明率ｕ３及び前記作業面の作業面固有照明率ｕ４を算出する固有照明率算出ステップと、前記天井面固有照明率ｕ１、前記壁面固有照明率ｕ３及び前記作業面固有照明率ｕ４に基づいて、前記室の前記天井面の天井面照明率Ｕ１、前記壁面の壁面照明率Ｕ３及び前記作業面の作業面照明率Ｕ４を算出する照明率算出ステップと、前記天井面照明率Ｕ１、前記壁面照明率Ｕ３及び前記作業面照明率Ｕ４に基づいて、前記室の前記天井面の照度Ｅ１、前記壁面の照度Ｅ３及び前記作業面の照度Ｅ４を算出する照度算出ステップと、を有することを特徴とする。
【００１９】
また、上記プログラムを記憶したコンピュータ読み取り可能な記憶媒体が提供される。
【発明の効果】
【００２０】
本発明によれば、複数室の各室に対応する複数の室情報、並びに複数室の各室に設けられる照明器具の照明器具効率ηのうちの上方光束分ηｕ、下方光束分ηｄ、各室の天井面の固有直射照明率ｕ１０及び作業面の固有直射照明率ｕ４０を取得し、照明器具の上方光束分ηｕ及び下方光束分ηｄ、固有直射照明率ｕ１０及び固有直射照明率ｕ４０に基づいて、各室の天井面の天井面固有照明率ｕ１、壁面の壁面固有照明率ｕ３及び作業面の作業面固有照明率ｕ４が算出される。また、天井面固有照明率ｕ１、壁面固有照明率ｕ３及び作業面固有照明率ｕ４に基づいて、天井面の天井面照明率Ｕ１、壁面の壁面照明率Ｕ３及び作業面の作業面照明率Ｕ４が算出され、更に、天井面照明率Ｕ１、壁面照明率Ｕ３及び作業面照明率Ｕ４に基づいて、天井面の照度Ｅ１、壁面の照度Ｅ３及び作業面の照度Ｅ４が算出される。そして、これらの照度Ｅ１、照度Ｅ３及び照度Ｅ４が出力情報として室毎に表示される。すなわち、照明器具効率ηのうちの上方光束分ηｕ、下方光束分ηｄ、各室の天井面の固有直射照明率ｕ１０及び作業面の固有直射照明率ｕ４０を入力するだけで、建物に設けられる複数室の照度を算出することが可能となり、簡単な入力のみで複数室の照度を容易に且つ短時間で算出することができる。
【００２１】
また、上記のような照度算出を表計算ソフトウエアを用いて行うので、特殊なシミュレーションソフトウエアの使用経験や照度算出経験が少ない設備設計者であっても、特殊なシミュレーションソフトウエアの使い方を習得する必要が無く、容易に且つ短時間で複数室の照度の算出結果を得ることができる。
【００２２】
また、照明器具の照明器具効率η、上方光束分ηｕ及び下方光束分ηｄ、並びに各室の作業面の固有直射照明率ｕ４０を含む入力情報と、天井面の照度Ｅ１、壁面の照度Ｅ３及び作業面の照度Ｅ４を含む出力情報とが表計算ソフトウエアによって表示されるので、これら入力情報及び出力情報の閲覧や整理を容易に行うことができる。
【００２３】
更には、各室の作業面の照度のみならず、天井面及び壁面の照度を算出することができるので、新基準に対応した照明設計を簡単に行うことが可能となる。例えば、従来は壁面や天井面の照度が考慮されなかったが、本願発明では、壁面や天井面の照度が算出されるので、壁面や天井面に反射率の高い材料を用いることで、照明器具の仕様をできる限り抑えつつ、新基準を満たす輝度やユーザの明るさ感を得ることができる。よって、建物の消費電力を低減して省エネルギー化を図ることができ、また、照明器具導入時のコストアップを抑制することが可能となる。
【図面の簡単な説明】
【００２４】
【図１】本発明の実施形態に係る照度算出装置のハードウエア構成を概略的に示すブロック図である。
【図２】図１の照度算出装置の機能を説明するための機能ブロック図である。
【図３】屋内照明器具特性表の一例を示す図である。
【図４】本実施形態に係る照度算出方法を説明するためのフローチャートである。
【発明を実施するための形態】
【００２５】
以下、本発明の実施形態を図面を参照しながら詳細に説明する。
【００２６】
［照度算出装置の構成］
図１は、本発明の実施形態に係る照度算出装置のハードウエア構成を概略的に示すブロック図である。図１の構成はその一例を示すものであり、本発明に係る照度算出装置の構成は、図１のものに限られない。
【００２７】
同図に示す如く、本実施形態に係る照度算出装置１は、ビルなどの建物に設けられる少なくとも１つの室の照度及び輝度を算出するためのコンピュータであり、制御部２、記憶部３、入力部４、出力部５、表示部６及び通信Ｉ／Ｆ（インタフェース）７を備え、それぞれがバス８を介して接続されている。
【００２８】
制御部２は、ＣＰＵ(Central Processing Unit)又はＭＰＵ(Micro Processing Unit)のプロセッサによって構成されており、照度算出装置１の動作および各種処理を統括的に制御する。制御部２は、記憶部３に予め記憶された照度算出プログラム或いは輝度算出プログラムを適宜読み出して実行することで、照度算出や輝度算出を実現可能に構成されている。照度算出装置１の詳細な動作及び各種処理については後述する。
【００２９】
記憶部３は、例えばＲＯＭ(Read Only Memory)、ＲＡＭ(Random Access Memory)及び／又はハードディスクドライブ等からなり、コンピュータ読み取り可能な記憶媒体で構成されている。記憶部３には、制御部２が照度算出や輝度算出を行う処理を実行するためのプログラムが格納されると共に、各種処理に用いられる種々の情報が格納される。記憶部３は、非一過性であり、かつ、コンピュータ読み取り可能な記憶媒体で構成されるのが好ましい。コンピュータ読み取り可能な記憶媒体は、例えば、光磁気ディスク、ＲＯＭ、ＣＤ−ＲＯＭ、フラッシュメモリ等の可搬媒体、コンピュータシステムに内蔵されるハードディスク等の記憶装置である。また、この記憶部３は、照度算出処理や輝度算出処理に用いられる各種計算パラメータや、後述する照度算出表を格納することができる。
【００３０】
入力部４は、マウス、キーボード又はマイクロフォンを含んで構成される。出力部５は、スピーカ等を含んで構成され、表示部６は、ディスプレイを含んで構成される。入力部４による入力機能、出力部５による出力機能及び表示部６による表示機能を組み合わせることで、グラフィカル・ユーザ・インターフェース（ＧＵＩ）を構築してもよい。  
【００３１】
照度算出装置１は、通信Ｉ／Ｆ７を介して通信網９に接続されており、有線又は無線で外部のシステム等と通信可能に構成されている。通信網９は、例えばＬＡＮ、インターネット等のネットワークである。
【００３２】
照度算出装置１は、通信網９を介してサーバ１０に通信可能に接続されていてもよい。サーバ１０は、例えばＢＩＭを実現するための建物の属性情報（以下、ＢＩＭ情報ともいう）を格納しており、建物の属性情報を当該照度算出装置１との間で送受信可能に構成されている。ＢＩＭ（Building Information Modeling）とは、コンピュータ上に作成された建物の仮想３次元（３Ｄ）モデルであり、建物を構成する各要素の集合体のモデルである。ＢＩＭ情報は、建物を構成する壁などの各要素の形態（形状・位置）に関する情報、各要素から算出される体積などの数量、仕様などの属性情報、各要素の個数情報を含む。図１では、サーバ１０がＢＩＭ情報を格納しているが、これに限らず、記憶部３がＢＩＭ情報を格納していてもよいし、サーバ１０及び記憶部３が、それぞれＢＩＭ情報の一部を格納していてもよい。
【００３３】
図２は、図１の照度算出装置１の機能を説明するための機能ブロック図である。照度算出装置１の制御部２は、図２の各機能ブロックの機能に従って後述の照度算出方法及び輝度算出方法を実行する。
【００３４】
図２に示すように、制御部２は、情報取得部２１、算出部２２、照度算出表作成部２３、表示処理部２４、表示情報変更部２５及び記憶処理部２６を含んでいる。
情報取得部２１は、室情報取得部２１ａ、設計照度取得部２１ｂ、照明器具情報取得部２１ｃ、光束情報取得部２１ｄ及び固有直射照明率取得部２１ｅを有する。この情報取得部２１は、入力部４からのユーザの指示入力に基づいて、照度算出及び輝度算出で用いられる後述の各種情報を入力情報として取得する。
【００３５】
具体的には、室情報取得部２１ａは、建物の室に対応する複数の室情報を取得する。この室情報には、例えば以下の表１に示すように、建物の階数（例えば「１Ｆ」）、室名（例えば「事務室」）、室の大きさ（例えば、「間口Ｘ［ｍ］」）、作業面高さ（例えば「ｈ１［ｍ］」）、室指数、反射率（天井、壁、床［％］）等を含む情報群から選択された複数の情報が含まれる。室情報取得部２１ａは、入力部４からのユーザの指示入力に基づいて、室に対応する複数の室情報を直接取得するか、或いはサーバ１０に格納されているＢＩＭ情報から上記複数の室情報を取得することができる。
【００３６】
設計照度取得部２１ｂは、室に対応する複数の設計照度（例えば「Ｅ［ｌｘ］」）を取得する。設計照度は、例えばJIS Z 9110「照明基準総則」に基づく計算によって設定される値である。
【００３７】
照明器具情報取得部２１ｃは、室に設けられる複数の照明器具情報を取得する。この照明器具情報には、例えば以下の表１に示すように、照明器具形式、器具光束又はランプ光束（例えば「Ｆ［ｌｍ］」）、照明器具の下り（例えば「ｈ２［ｍ］」）、光源の高さ（例えば「Ｈ［ｍ］」）、保守率（例えば、Ｍ［-］（Ｍ＝０〜１））、器具数又はランプ数（例えばＮ「台」）等を含む情報群から選択された複数の情報が含まれる。
【００３８】
光束情報取得部２１ｄは、室に設けられる照明器具の「上方光束分ηｕ」及び「下方光束分ηｄ」を取得する。上方光束分ηｕ下方光束分ηｄは、例えば図３に示すように、照明器具の製造元が公表している屋内照明器具特性表３０のうちの器具効率記載欄３１に記載された「上方光束［％］」及び「下方光束［％］」に相当する値である。上方光束とは、後述する同図の器具効率のうち、上方光束分の効率を示し、下方光束とは、器具効率のうち、下方光束分の効率を示す。後述の図３の一例では、上方光束は４４％、下方光束は３３％であり、この場合、上方光束分ηｕは４４％、下方光束分ηｄは３３％となる。
【００３９】
固有直射照明率取得部２１ｅは、室の天井面及び作業面に対応する２つの固有直射照明率ｕ１０，ｕ４０を取得する。室の天井面の固有直射照明率ｕ１０は、上半球光束比juそのものであり、例えば上記で取得した上方光束分ηｕを、図３の器具効率記載欄３１に記載された「器具効率［％］」に相当する値である「照明器具効率η」で除した値（ｕ１０＝ηｕ／η）である。図３の一例では、器具効率は７７％であり、この場合、天井面の固有直射照明率ｕ１０は０．５７（＝４４％／７７％）となる。
室の作業面の固有直射照明率ｕ４０は、例えば図３の屋内照明器具特性表３０のうちの照明率表３２において、室の天井面、壁面及び床面の反射率をいずれも０％とした場合の照明率を用いる。すなわち、照明率記載欄３３に記載された複数の上記照明率のうち、各室指数に対応した一の照明率を選択し、当該照明率を０〜１の範囲内の値に換算したものを、室の作業面の固有直射照明率ｕ４０とする。図３の一例では、室指数が１．０のとき、室の天井面、壁面及び床面の反射率をいずれも０％とした場合の照明率は０．１７であり、この場合、作業面の固有直射照明率ｕ４０は０．１７となる。
【００４０】
算出部２２は、固有照明率算出部２２ａ、照明率算出部２２ｂ、照度算出部２２ｃ及び輝度算出部２２ｄを有する。この算出部２２は、例えば記憶部３に記憶された表計算ソフトウエアを読み出して実行することで、固有照明率、照明率、照度、輝度などの各種値を算出する。
【００４１】
固有照明率算出部２２ａは、室における上記照明器具の上方光束分ηｕ、下方光束分ηｄ、室の天井面の固有直射照明率ｕ１０及び作業面の固有直射照明率ｕ４０に基づいて、室の天井面の天井面固有照明率ｕ１、壁面の壁面固有照明率ｕ３及び作業面の作業面固有照明率ｕ４を算出する。
具体的には、固有照明率算出部２２ａは、下記(1)式を用いて、室の天井面固有照明率ｕ１、壁面固有照明率ｕ３及び作業面固有照明率ｕ４を算出する。固有照明率算出部２２ａ、照明率算出部２２ｂ、照度算出部２２ｃ及び輝度算出部２２ｄで行われる算出の原理については、後述する。
2019215664.tif 000006
【００４２】
照明率算出部２２ｂは、固有照明率算出部２２ａで算出された天井面固有照明率ｕ１、壁面固有照明率ｕ３及び作業面固有照明率ｕ４に基づいて、室の天井面の天井面照明率Ｕ１、壁面の壁面照明率Ｕ３及び作業面の作業面照明率Ｕ４を算出する。
具体的には、照明率算出部は、下記(2)式を用いて、天井面照明率Ｕ１、壁面照明率Ｕ３及び作業面照明率Ｕ４を算出する。
2019215664.tif 000007
【００４３】
照度算出部２２ｃは、照明率算出部２２ｂで算出された天井面照明率Ｕ１、壁面照明率Ｕ３及び作業面照明率Ｕ４に基づいて、室の天井面の照度Ｅ１、壁面の照度Ｅ３及び作業面の照度Ｅ４を算出する。
具体的には、照度算出部２２ｃは、下記(3)式を用いて、室の天井面の照度Ｅ１、壁面の照度Ｅ３及び作業面の照度Ｅ４を算出する。
2019215664.tif 000008
【００４４】
輝度算出部２２ｄは、照度算出部２２ｃで算出された天井面の照度Ｅ１、壁面の照度Ｅ３及び作業面の照度Ｅ４に基づいて、室の天井面の輝度Ｌ１、壁面の輝度Ｌ３及び作業面の輝度Ｌ４を算出する。
具体的には、輝度算出部２２ｄは、下記(4)式を用いて、室の天井面の輝度Ｌ１、壁面の輝度Ｌ３及び作業面の輝度Ｌ４を算出する。
2019215664.tif 000009
【００４５】
本実施形態では、算出部２２は、固有照明率算出部２２ａ、照明率算出部２２ｂ、照度算出部２２ｃ及び輝度算出部２２ｄを有するが、これに限らず、固有照明率算出部２２ａ、照明率算出部２２ｂ及び照度算出部２２ｃを有し、輝度算出部２２ｄを有していなくてもよい。
【００４６】
照度算出表作成部２３は、室に対応する上記室情報と、室に設けられる照明器具の照明器具効率η、上方光束分ηｕ、下方光束分ηｕ及び作業面の固有直射照明率ｕ４０と、上記室の天井面の照度Ｅ１、壁面の照度Ｅ３及び作業面の照度Ｅ４とを紐付けて室情報群とし、且つ複数の室に対応する複数の室情報群が室毎に分類された照度算出表を作成する（表１）。
【００４７】
【表１】
2019215664.tif 000010
【００４８】
表１の照度算出表は、例えばExcel（エクセル）などの表計算ソフトウエアによって提供される表作成機能を用いて作成される。また、国土交通省の様式である「照度計算書」に、入力情報として「照明器具効率η」、「上方光束分ηｕ」、「下方光束分ηｄ」及び「固有直射照明率ｕ４０」の欄を追加し、更に出力情報として「照度（壁面及び天井面）」の欄を追加することで、照度算出表を容易に作成することができる。尚、説明の便宜上、表１に示す照明器具効率ηはいずれも１００％、上方光束分ηｕはいずれも０、下方光束分ηｄはいずれも１００％であるが、実際には、図３に示すように、各照明器具の特性に対応した値が入力される。
【００４９】
また、照度算出表作成部２３は、表１に示すように、上記室の天井面の照度Ｅ１、壁面の照度Ｅ３及び作業面の照度Ｅ４と、上記室の天井面の輝度Ｌ１、壁面の輝度Ｌ３及び作業面の輝度Ｌ４とを紐付けて室情報群とし、複数の室に対応する複数の室情報群が室毎に分類された照度算出表を作成してもよい。すなわち、上記の「照度計算書」に、出力情報として「輝度（作業面、壁面及び天井面）」の欄を更に追加することで、輝度を含む照度算出表を容易に作成することができる。
【００５０】
表示処理部２４は、照度算出表作成部２３で作成された照度算出表を出力情報としてモニターなどの表示部６に表示するための表示処理を実行する。
【００５１】
表示情報変更部２５は、表示処理部２４によって表示された照度算出表内の建物の複数室に対応する上記複数の室情報群を編集することができる。例えば、表示情報変更部２５は、「事務室」に対応する室情報群の表示位置と、「便所」に対応する室情報群との表示位置を変更することができ、また、室名毎にソートして表示することができる。
【００５２】
記憶処理部２６は、照度算出表作成部２３によって作成された照度算出表、或いは表示情報変更部２５によって編集された照度算出表を、記憶部３に記憶する。記憶処理部２６は、照度算出表をサーバ１０などの外部に記憶させるために、照度算出表を外部に送信してもよい。
【００５３】
［照度算出方法の原理］
作業面の固有照明率の算出は、一般に、室内の各面間の相互反射論の基礎方程式を解いて導出することができる。天井、壁及び作業面からなる三面系の基礎方程式を(1’)式に示す。尚、以下に示す(1’)式、(2’)式、(1)式、(2)式、(3)式、(4)式は、「JIS C 8030:2014」に基づくものである。また、「作業面」とは、屋内照明の場合、床上０．８ｍの高さで壁面まで続く、床面に平行な仮想的水平面をいう。
【００５４】
（面の照度の定義式）
2019215664.tif 000011
【００５５】
ここで、照度は、固有照明率と定数によって決まる値であり、直射照度もまた同様に、固有直射照明率と定数によって決まる値であるため、上記(1’)式において、照度Ｅｉを固有照明率ｕｉ、直射照度Ｅｉ0を固有直射照明率ｕｉ0にそれぞれ置き換えることができる。これにより、(2’)式が得られる。
2019215664.tif 000012
【００５６】
ここで、(2’)式の両辺に、
2019215664.tif 000013
【００５７】
本実施形態では、図３の屋内照明器具特性表における器具効率に対応する照明器具効率ηと、同表における上方光束に対応する上方光束分ηｕとから得られる天井面の固有直射照明率ｕ１０を用いる。また、同表において、天井、壁及び床のいずれの反射率も０％である場合（最右欄）の各室指数に対応する照明率から得られる作業面の固有直射照明率ｕ４０を用いる。
【００５８】
これらの値を上記(1)式に代入することにより、天井面、壁面及び作業面の固有照明率ｕi(i=1,3,4)を得ることができる。
【００５９】
そして、上記(1)式で算出された固有照明率ｕi(i=1,3,4)を用いて、下記(2)式により、照明率Ｕi(i=1,3,4)が得られる。
2019215664.tif 000014
【００６０】
また、上記(2)式により算出された照明率Ｕiを用いて、下記(3)式により、照度Ｅｉ（ｌｍ）が得られる。
2019215664.tif 000015
【００６１】
そして、上記(3)式により算出された照度Ｅｉを用いて、及び輝度Ｌｉ（ｃｄ／ｍ２）が得られる。
2019215664.tif 000016
【００６２】
このように、本実施形態では、行列式である上記(1)式と、天井面及び作業面の固有直射照明率ｕi0(i=1,4)とを用いて、天井面、壁面及び作業面の固有照明率ｕi(i=1,3,4)を算出し、得られた固有照明率ｕi(i=1,3,4)と上記(2)〜(4)式とを用いて、各室の天井面、壁面及び作業面の照度Ｅｉ(i=1,3,4)、及び輝度Ｌｉ(i=1,3,4)を得ることができる。
【００６３】
［照度算出方法の構成］
次に、照度算出装置１で実行される照度算出方法について、図４のフローチャートを主に参照しながら説明する。図４のフローチャートで示される照度算出方法は、制御部２、すなわちコンピュータによって実行され、建物に設けられる複数室の照度を表計算ソフトウエアで算出する。尚、本実施形態では、制御部２は以下の照度算出方法を実行するが、照度算出方法を実行した後、上記原理に基づいて輝度算出処理を更に行ってもよい。
【００６４】
先ず、ユーザの指示入力に基づいて、複数室の各室に対応する複数の室情報、並びに複数室の各室に設けられる照明器具の照明器具効率ηのうちの上方光束分ηｕ、下方光束分ηｄ、各室の天井面の固有直射照明率ｕ１０及び作業面の固有直射照明率ｕ４０を、入力情報として取得する（情報取得ステップ）（ステップＳ１）。
複数室の各室に対応する複数の室情報は、ユーザの指示入力に基づいて、入力部４を介して取得してもよいし、サーバ１０のＢＩＭ情報から取得してもよい。また、照明器具の上方光束ηｕ、下方光束分ηｄ及び各室の作業面の固有直射照明率は、ユーザの指示入力に基づいて、入力部４を介して取得してもよいし、照明器具の上方光束分ηｕ、下方光束分ηｄ、各室の天井面の固有直射照明率ｕ１０及び作業面の固有直射照明率ｕ４０を予め記憶部３に記憶しておき、ユーザの指示入力に基づいて、これらの値を記憶部３から取得してもよい。
【００６５】
次に、ステップＳ１で取得した各室における照明器具の上方光束分ηｕ、下方光束分ηｄ、各室の天井面の固有直射照明率ｕ１０及び作業面の固有直射照明率ｕ４０に基づいて、各室の天井面の天井面固有照明率ｕ１、壁面の壁面固有照明率ｕ３及び作業面の作業面固有照明率ｕ４を算出する（固有照明率算出ステップ）（ステップＳ２）。例えば、表計算ソフトウエアで作成された図１の表に、上述の(1)式をTranspose関数として入力し、計算を実行することで、天井面固有照明率ｕ１、壁面固有照明率ｕ３及び作業面固有照明率ｕ４を算出することができる。
【００６６】
次いで、ステップＳ２で算出された天井面固有照明率ｕ１、壁面固有照明率ｕ３及び作業面固有照明率ｕ４に基づいて、各室の天井面の天井面照明率Ｕ１、壁面の壁面照明率Ｕ３及び作業面の作業面照明率Ｕ４を算出する（照明率算出ステップ）（ステップＳ３）。例えば、図１の表に上述の(2)式を入力し、計算を実行することで、天井面照明率Ｕ１、壁面照明率Ｕ３及び作業面照明率Ｕ４を算出することができる。
【００６７】
次いで、ステップＳ３で算出された天井面照明率Ｕ１、壁面照明率Ｕ３及び作業面照明率Ｕ４に基づいて、各室の天井面の照度Ｅ１、壁面の照度Ｅ３及び作業面の照度Ｅ４を算出する（照度算出ステップ）（ステップＳ４）。例えば、図１の表に上述の(3)式を入力し、計算を実行することで、天天井面の照度Ｅ１、壁面の照度Ｅ３及び作業面の照度Ｅ４を算出することができる。
【００６８】
その後、室に対応する室情報と、室に設けられる照明器具の上方光束分ηｕ、下方光束分ηｄ、及び作業面の固有直射照明率ｕ４０と、上記ステップＳ４によって算出された室の天井面の照度Ｅ１、壁面の照度Ｅ３及び作業面の照度Ｅ４とを紐付けて室情報群とすることができる。照度算出方法の後に輝度算出処理が行われた場合には、天井面の照度Ｅ１、壁面の照度Ｅ３及び作業面の照度Ｅ４と、当該室の天井面の輝度Ｌ１、壁面の輝度Ｌ３及び作業面の輝度Ｌ４とを紐付けて室情報群とすることもできる。
【００６９】
また、建物の複数室について上記処理を繰り返した後、複数の室に対応する複数の室情報群が室毎に分類された照度算出表を作成することができる。照度算出方法の後に輝度算出処理が行われた場合には、輝度を含む照度算出表を作成してもよい（表１参照）。そして、上記で作成された照度算出表を出力情報として表示部６に表示することができる。
【００７０】
また、ユーザの指示入力に基づいて、表示部６に表示された照度算出表内の建物の複数室に対応する上記複数の室情報群を編集することができる。また、上記ステップによって作成された照度算出表或いは編集後の照度算出表を、記憶部３に記憶することができる。更には、ユーザの指示入力に基づいて、記憶部３に記憶された照度算出部を、必要に応じて記憶部３から読み出すことができる。
【００７１】
上述したように、本実施形態によれば、複数室の各室に対応する複数の室情報、並びに複数室の各室に設けられる照明器具の照明器具効率ηのうちの上方光束分ηｕ、下方光束分ηｄ、各室の天井面の固有直射照明率ｕ１０及び作業面の固有直射照明率ｕ４０を取得し、照明器具の上方光束分ηｕ、下方光束分ηｄ、天井面の固有直射照明率ｕ１０及び作業面の固有直射照明率ｕ４０に基づいて、各室の天井面の天井面固有照明率ｕ１、壁面の壁面固有照明率ｕ３及び作業面の作業面固有照明率ｕ４が算出される。また、天井面固有照明率ｕ１、壁面固有照明率ｕ３及び作業面固有照明率ｕ４に基づいて、天井面の天井面照明率Ｕ１、壁面の壁面照明率Ｕ３及び作業面の作業面照明率Ｕ４が算出され、更に、天井面照明率Ｕ１、壁面照明率Ｕ３及び作業面照明率Ｕ４に基づいて、天井面の照度Ｅ１、壁面の照度Ｅ３及び作業面の照度Ｅ４が算出される。そして、これらの照度Ｅ１、照度Ｅ３及び照度Ｅ４が出力情報として室毎に表示される。すなわち、照明器具効率ηのうちの上方光束分ηｕ、及び下方光束分ηｄ、並びに各室の天井面の固有直射照明率ｕ１０及び作業面の固有直射照明率ｕ４０を入力するだけで、建物に設けられる複数室の照度を算出することが可能となり、簡単な入力のみで複数室の照度或いは輝度を容易に且つ短時間で算出することができる。
【００７２】
また、上記のような照度算出を表計算ソフトウエアを用いて行うので、特殊なシミュレーションソフトウエアの使用経験や照度算出経験が少ない設備設計者であっても、特殊なシミュレーションソフトウエアの使い方を習得する必要が無く、容易に且つ短時間で複数室の照度或いは輝度の算出結果を得ることができる。
【００７３】
また、照明器具の照明器具効率η、上方光束分ηｕ及び下方光束分ηｄ、並びに各室の作業面の固有直射照明率ｕ４０を含む入力情報と、天井面の照度Ｅ１、壁面の照度Ｅ３及び作業面の照度Ｅ４を含む出力情報とが表計算ソフトウエアによって表示されるので、これら入力情報及び出力情報の閲覧や整理を容易に行うことができる。
【００７４】
更に、各室の作業面の照度Ｅ４のみならず、天井面の照度Ｅ１及び壁面の照度Ｅ４を算出することができ、更には各室の天井面の輝度Ｌ１、壁面の輝度Ｌ３及び作業面の輝度Ｌ４を算出することができるので、新基準に対応した照明設計を簡単に行うことが可能となる。例えば、従来法では壁面や天井面の照度が考慮されなかったが、本願発明では、壁面や天井面の照度が算出されるので、壁面や天井面に反射率の高い材料を用いることで、照明器具の仕様をできる限り抑えつつ、新基準を満たす輝度やユーザの明るさ感を得ることができる。よって、建物の消費電力を低減して省エネルギー化を図ることができ、また、照明器具導入時のコストアップを抑制することが可能となる。
【００７５】
以上、本発明の実施形態に係る照度算出装置及び輝度算出方法について述べたが、本発明は記述の実施形態に限定されるものではなく、本発明の技術思想に基づいて各種の変形および変更が可能である。
【符号の説明】
【００７６】
１  照度算出装置
２  制御部
３  記憶部
４  入力部
５  出力部
６  表示部
７  通信Ｉ／Ｆ
８  バス
９  通信網
１０  サーバ
２１  情報取得部
２１ａ  室情報取得部
２１ｂ  設計照度取得部
２１ｃ  照明器具情報取得部
２１ｄ  光束情報取得部
２１ｅ  固有直射照明率取得部
２２  算出部
２２ａ  固有照明率算出部
２２ｂ  照明率算出部
２２ｃ  照度算出部
２２ｄ  輝度算出部
２３  照度算出表作成部
２４  表示処理部
２５  表示情報変更部
２６  記憶処理部
３０  屋内照明器具特性表
３１  器具効率記載欄
３２  照明率表
３３  照明率記載欄
【図１】
2019215664.tif 000020
【図２】
2019215664.tif 000021
【図３】
2019215664.tif 000022
【図４】
2019215664.tif 000023